(57)【要約】【課題】  ナビゲーション機能およびその他所定の機能の設定を簡易に行うことが可能なナビゲーション装置を提供すること。【解決手段】  表示部を有するナビゲーション装置１０において、表示部に地図情報を表示する第１の表示手段（ＣＰＵ１１、ビデオ回路１５）と、表示部にナビゲーション機能を調整または設定するための画面を表示する第２の表示手段（ＣＰＵ１１、ビデオ回路１５）と、ナビゲーション機能を調整または設定するための画面と同時に表示部にその他所定の機能用の画面を表示する第３の表示手段（ＣＰＵ１１、ビデオ回路１５）と、第２および第３の表示手段によって表示された画面のいずれかが選択された場合に、選択された画面の表示の態様を変更する変更手段（ＣＰＵ１１、ビデオ回路１５）と、を有する。【選択図】  図１
2005207973.tif 000002
【特許請求の範囲】
【請求項１】
表示部を有するナビゲーション装置において、
上記表示部に地図情報を表示する第１の表示手段と、
上記表示部にナビゲーション機能を調整または設定するための画面を表示する第２の表示手段と、
上記ナビゲーション機能を調整または設定するための画面と同時に上記表示部にその他所定の機能用の画面を表示する第３の表示手段と、
上記第２および第３の表示手段によって表示された画面のいずれかが選択された場合に、選択された画面の表示の態様を変更する変更手段と、
を有することを特徴とするナビゲーション装置。
【請求項２】
前記第３の表示手段は、オーディオ、およびテレビジョンを含む複数の所定の機能のいずれかを調整または設定するための画面を表示する、
ことを特徴とする請求項１記載のナビゲーション装置。
【請求項３】
表示部を有するナビゲーション装置において、
上記表示部に地図情報を表示する第１の表示手段と、
複数のタブを有する画面を表示し、当該複数のタブのいずれかが選択されると、選択されたタブに対応する、ナビゲーション機能を調整もしくは設定するための画面またはその他所定の機能用の画面を択一的に表示する第２の表示手段と、
トグルボタンを表示し、当該トグルボタンの操作回数に応じて、上記第２の表示手段による画面と同時に、その他所定の機能用の画面またはナビゲーション機能を調整もしくは設定するための画面を択一的に表示する第３の表示手段と、
上記第２および第３の表示手段によって表示された画面のいずれかが選択された場合に、選択された画面の表示の態様を変更する変更手段と、
を有することを特徴とするナビゲーション装置。
【請求項４】
所定の情報を表示するアイコンまたは所定の機能を起動するためのアイコンを前記表示部に表示する第４の表示手段を有し、
上記第４の表示手段は、前記第２および第３の表示手段によって表示される画面と重複しない表示領域に上記アイコンを表示する、
ことを特徴とする請求項１または請求項３記載のナビゲーション装置。
【請求項５】
表示部を有するナビゲーション装置での情報呈示方法において、
上記表示部に地図情報と、ナビゲーション機能を調整または設定するための画面と、その他の所定の機能用の画面を表示する表示ステップと、
上記表示ステップによって表示されたナビゲーション用の画面およびその他の所定の機能用の画面のいずれかが選択された場合に、選択された画面の表示の態様を変更する変更ステップと、
を有することを特徴とする情報呈示方法。
【請求項６】
表示部を有するナビゲーション装置において実行されるコンピュータ読み取り可能なナビゲーション用プログラムにおいて、
コンピュータを、
上記表示部に地図情報を表示する第１の表示手段、
上記表示部にナビゲーション機能を調整または設定するための画面を表示する第２の表示手段、
上記ナビゲーション機能を調整または設定するための画面と同時に上記表示部にその他の所定の機能用の画面を表示する第３の表示手段、
上記第２および第３の表示手段によって表示された画面のいずれかが選択された場合に、選択された画面の表示の態様を変更する変更手段、
として機能させることを特徴とするコンピュータ読み取り可能なナビゲーション用プログラム。
【発明の詳細な説明】
【技術分野】
【０００１】
本発明は、ナビゲーション装置、情報呈示方法、およびナビゲーション用プログラムに関する。
【背景技術】
【０００２】
車載用のナビゲーション装置は、ＧＰＳ（Global Positioning Systems）衛星から送信される信号を受信して自車の現在位置を検出するとともに、各種センサにより検出される自車に関する情報およびナビゲーション装置の記録装置に記録されている地図情報に基づいて、自車の現在位置と地図データの道路形状とをマッチングさせ、表示部に表示された地図上に自車の現在位置を表示する。そして、目的地が設定された場合には、当該目的地までの案内（ナビゲーション）を実行する。
【０００３】
ところで、近年のナビゲーション装置ではオーディオ装置の機能を具備しているものも多いため、オーディオ機能の設定、調整、変更等を行う必要があるが、従来のナビゲーション装置では、オーディオ機能を設定するための画面表示は行われなかったため、ハードウエアボタン等によって操作を行う必要があり、操作が煩雑であった。
【０００４】
そこで、特許文献１では、ナビゲーション機能の要否に応じてオーディオ機能の設定画面と、ナビゲーション画面とを切り換えるようにする技術が開示されている。
【０００５】
【特許文献１】特開平１１−１３２７８０号公報（請求の範囲、要約書）
【発明の開示】
【発明が解決しようとする課題】
【０００６】
ところで、ナビゲーション装置においては、自車位置の修正、ＧＰＳ受信状況の確認、目的地の設定、縮尺変更、地図表示方位変更などの設定を行う必要があるため、オーディオの機能のみならず、ナビゲーション機能の設定についても画面において設定を行うことが望まれる。
【０００７】
しかしながら、ナビゲーション装置では、設置スペースが広くとれないことから、例えば、７インチ等の小型の表示装置が使用される場合が多い。そのため、ナビゲーション機能、オーディオ機能、およびその他の機能といった複数の機能のための操作画面の切り換えを行った上でその機能についての操作がされる。したがって、複数の機能についての操作を小型の表示装置において簡易に行うことができないという問題点があった。
【０００８】
本発明は、上記の事情に基づきなされたもので、その目的とするところは、ナビゲーション機能およびその他所定の機能の設定を簡易に行うことが可能なナビゲーション装置、情報呈示方法、およびナビゲーション用プログラムを提供することを目的とする。
【課題を解決するための手段】
【０００９】
上述の目的を達成するため、本発明は、表示部を有するナビゲーション装置において、表示部に地図情報を表示する第１の表示手段と、表示部にナビゲーション機能を調整または設定するための画面を表示する第２の表示手段と、ナビゲーション機能を調整または設定するための画面と同時に表示部にその他所定の機能用の画面を表示する第３の表示手段と、第２および第３の表示手段によって表示された画面のいずれかが選択された場合に、選択された画面の表示の態様を変更する変更手段と、を有している。
【００１０】
また、他の発明は、上述の発明に加えて、第３の表示手段は、オーディオ、およびテレビジョンを含む複数の所定の機能のいずれかを調整または設定するための画面を表示するようにしている。
【００１１】
また、本発明は、表示部を有するナビゲーション装置において、表示部に地図情報を表示する第１の表示手段と、複数のタブを有する画面を表示し、当該複数のタブのいずれかが選択されると、選択されたタブに対応するナビゲーション機能を調整もしくは設定するための画面またはその他所定の機能用の画面を択一的に表示する第２の表示手段と、トグルボタンを表示し、当該トグルボタンの操作回数に応じて、第２の表示手段による画面と同時に、その他所定の機能用の画面またはナビゲーション機能を調整もしくは設定するための画面を択一的に表示する第３の表示手段と、第２および第３の表示手段によって表示された画面のいずれかが選択された場合に、選択された画面の表示の態様を変更する変更手段と、を有している。
【００１２】
また、他の発明は、上述の各発明に加えて、所定の情報を表示するアイコンまたは所定の機能を起動するためのアイコンを表示部に表示する第４の表示手段を有し、第４の表示手段は、第２および第３の表示手段によって表示される画面と重複しない表示領域にアイコンを表示するようにしている。
【００１３】
また、本発明は、表示部を有するナビゲーション装置での情報呈示方法において、表示部に地図情報と、ナビゲーション機能を調整または設定するための画面と、その他の所定の機能用の画面を表示する表示ステップと、表示ステップによって表示されたナビゲーション用の画面およびその他の所定の機能用の画面のいずれかが選択された場合に、選択された画面の表示の態様を変更する変更ステップと、を有するようにしている。
【００１４】
また、本発明は、表示部を有するナビゲーション装置において実行されるコンピュータ読み取り可能なナビゲーション用プログラムにおいて、コンピュータを、表示部に地図情報を表示する第１の表示手段、表示部にナビゲーション機能を調整または設定するための画面を表示する第２の表示手段、ナビゲーション機能を調整または設定するための画面と同時に表示部にその他の所定の機能用の画面を表示する第３の表示手段、第２および第３の表示手段によって表示された画面のいずれかが選択された場合に、選択された画面の表示の態様を変更する変更手段、として機能させるようにしている。
【発明の効果】
【００１５】
本発明は、ナビゲーション機能およびその他所定の機能の設定を簡易に行うことが可能なナビゲーション装置、情報呈示方法、およびナビゲーション用プログラムを提供することができる。
【発明を実施するための最良の形態】
【００１６】
以下、本発明の一実施の形態について図に基づいて説明する。
【００１７】
図１は、本発明の実施の形態に係るナビゲーション装置の構成例を示すブロック図である。この図に示すように、本発明の実施の形態に係るナビゲーション装置１０は、ＣＰＵ（Central Processing Unit）１１、ＲＯＭ（Read Only Memory）１２、ＲＡＭ（Random Access Memory）１３、ＨＤＤ（Hard Disk Drive）１４、ビデオ回路１５、Ｉ／Ｆ（Interface）１６、バス１７、ＬＣＤ（Liquid Crystal Display）１８、入力装置１９、センサ２０、ＧＰＳ装置２１、および音声出力装置２２を有している。
【００１８】
ここで、第１〜第４の表示手段の一部であり、変更手段の一部であるＣＰＵ１１は、ＨＤＤ１４またはＲＯＭ１２に格納されているプログラムに応じて、各種演算処理を実行するとともに、装置の各部を制御する中央処理装置である。
【００１９】
ＲＯＭ１２は、ＣＰＵ１１が実行するプログラムを格納した半導体記憶装置である。ＲＡＭ１３は、ＣＰＵ１１が実行するプログラムを一時的に記憶する半導体記憶装置である。
【００２０】
ＨＤＤ１４は、ＣＰＵ１１が実行するプログラムを格納するとともに、地図情報を格納している。第１〜第４の表示手段の一部であり、変更手段の一部であるビデオ回路１５は、ＣＰＵ１１から供給された描画コマンドに応じた描画処理を実行するとともに、描画処理の結果として得られた画像を映像信号に変換してＬＣＤ１８へ出力する。
【００２１】
Ｉ／Ｆ１６は、入力装置１９、センサ２０、およびＧＰＳ装置２１からの出力される信号の表現形式を変換して入力するとともに、音声出力装置に対して出力する信号の表現形式を変換する。バス１７は、ＣＰＵ１１、ＲＯＭ１２、ＲＡＭ１３、ＨＤＤ１４、ビデオ回路１５、およびＩ／Ｆ１６を相互に接続し、これらの間で情報の授受を可能とするための信号線群である。
【００２２】
ＬＣＤ１８は、ビデオ回路１５から出力される映像信号を表示するための表示装置である。図２は、ＬＣＤ１８の詳細を説明するための図である。この図に示すように、ＬＣＤ１８は、中央に表示部１８ａが配置されており、その周辺には入力装置１９としてのハードウエアボタン１９ｂ〜１９ｇが配置されている。また、表示部１８ａには入力装置１９としてのタッチパネル１９ａが重畳するように配置されているので、表示部１８ａに表示されている画像情報等を参照してタッチパネル１９ａを操作することにより、所望の情報を入力することができる。
【００２３】
この例では、表示部１８ａには、車両の現在地の周辺地図が表示されている。ハードウエアボタン１９ｂは、例えば、音声出力装置２２から出力される音声の音量を調整する場合に操作されるボタンである。ハードウエアボタン１９ｃは、例えば、ＣＤ（Compact Disk（登録商標））の再生を開始する場合に操作されるボタンである。ハードウエアボタン１９ｄは、ポイントメニューを表示する場合に操作されるボタンである。ハードウエアボタン１９ｅは、表示部１８ａに表示される情報を、ナビゲーションおよびＴＶ（テレビジョン映像）のいずれかから選択する場合に操作されるボタンである。ハードウエアボタン１９ｆは、ＣＤ、ＤＶＤ（Digital Versatile Disk）の再生を停止する場合に操作される。ハードウエアボタン１９ｇは、ＤＶＤの再生を開始する場合に操作されるボタンである。
【００２４】
図１に戻って、入力装置１９は、前述したように、ＬＣＤ１８の表示部に重畳するように配置されたタッチパネル１９ａおよびハードウエアボタン１９ｂ〜１９ｇを有しており、操作者の操作に応じた情報を生成して出力する。
【００２５】
センサ２０は、車両の速度を示す車速センサ、車両の各制御軸の角速度を示す角速度センサ、およびサイドブレーキの操作状態を示すサイドブレーキセンサを有している。
【００２６】
ＧＰＳ装置２１は、複数のＧＰＳ人工衛星から発信される情報を利用して、車両の現在位置（緯度・経度・高度）を得る装置である。音声出力装置２２は、ＣＰＵ１１から供給されたデータをＤ／Ａ（Digital to Analog）変換し、音声として出力する。
【００２７】
つぎに、本発明の実施の形態に係るナビゲーション装置の動作について説明する。なお、以下の動作は、ＣＰＵ１１により、ナビゲーション用のプログラムが実行されることにより、実現される。
【００２８】
図３は、ナビゲーション装置に電源が投入された直後のＬＣＤ１８の表示例を示す図である。なお、この図では、図面を見やすくするために、地図情報を表示しない状態を示しているが、実際には地図情報にアイコンが重畳して表示されている。
【００２９】
図３において、アイコン３０は、方位磁針を模したアイコンであり、地図上における南北方向を指示する。アイコン３１は、現在の時刻を示すアイコンである。アイコン３２は、ＶＩＣＳ情報を受信した時刻を示している。アイコン３３は、テレビジョンの受信チャンネルを示すアイコンである。アイコン３４は、説明文を表示する際に操作されるアイコンである。アイコン３５は、目的地まで到達するまでに必要な料金（高速道路の通行料金等）を示すアイコンである。アイコン３６は、ゴール（目的地）までの距離と、到着予定時刻を示すアイコンである。アイコン３７は、操作回数に応じて表示画面の一部を変更するトグルボタンであり、このボタンが操作されると、ナビゲーション装置の設定またはオーディオの設定を行うための操作部が表示される。なお、この例では、アイコン３７は、表示部１８ａの運転席寄りの下側隅に配置され、六角形の形状を有しており、その内部には、シャッターが閉まったような状態を示す画像が表されている。
【００３０】
つぎに、アイコン３７が操作された場合の動作について説明する。この実施の形態では、アイコン３７の表示部分におけるタッチパネル１９ａが押圧されることで、アイコン３７が操作される。
【００３１】
アイコン３７が１回操作されると、ＣＰＵ１１は、タッチパネル１９ａの出力を参照し、アイコン３７が操作されたことを検出し、ＨＤＤ１４から所定の情報を読み出し、ビデオ回路１５に供給する。その結果、図３のアイコン３７の内部に表示されているシャッターを模した図形が回転しつつ開いて、図４のようなアイコン３７ａが表示される。
【００３２】
図４の表示例では、六角形のアイコン３７ａの上半分にはオーディオを示す音符が表示されている。また、下半分にはナビゲーションを示す文字列「ＮＡＶ」が上下反対に表示されている。また、上半分の音符については、アクティブの状態であることを示すために強調表示されている（例えば、色を変えて表示されている。なお、この例では、ハッチングが施されている）。また、アイコン３７ａ全体が２重線で囲まれており、このアイコン３７ａが操作の対象である、すなわち、アクティブとなっていることが示されている。
【００３３】
つぎに、ＣＰＵ１１は、オーディオ用のメニューを表示するための情報をＨＤＤ１４から取得し、ビデオ回路１５に供給する。その結果、ＬＣＤ１８には、図５に示すような情報が表示される。
【００３４】
図５に示す表示例では、右下隅のアイコン３７ａから表示部１８ａの縁に沿って、上方向に枠３８が表示され、左方向に枠３９が表示されている。枠３８，３９にはオーディオ再生に関する操作部や情報が表示されている。また、枠３８には、表示窓３８ａと表示窓３８ｂが表示されている。表示窓３８ａには、再生する対象が表示される。この例ではＭＰ３（MPEG-1 audio layer 3）ファイルが再生の対象として表示されている。表示窓３８ｂには現在再生中のトラックの番号が表示される。この例では、２０トラックのうち、第３番目のトラックが再生中であることが示されている。
【００３５】
枠３９には、ボタン３９ａ〜３９ｄおよび表示窓３９ｅが表示されている。ここで、ボタン３９ａは、再生を停止する場合に操作される。ボタン３９ｂは、再生を開始する場合に操作される。ボタン３９ｃは、早送りをする場合に操作される。ボタン３９ｄは、巻き戻しをする場合に操作される。表示窓３９ｅには、現在再生中の楽曲のタイトルが表示される。
【００３６】
このような画面において、運転者は、所望のボタンを操作することにより、目的の楽曲を再生することが可能になる。なお、ナビゲーションの設定を行う場合には、ボタン操作を行わずに、つぎに説明するようにアイコン３７ａを再度操作する。
【００３７】
図５に示す状態において、アイコン３７ａの表示部分のタッチパネル１９ａが再度押圧されて、アイコン３７ａが再度操作されると、ＣＰＵ１１は、タッチパネル１９ａの出力を参照し、アイコン３７ａが操作されたことを検出する。アイコン３７ａが操作されたことを検出すると、ＣＰＵ１１は、表示上、アイコン３７ａを１８０度回転させる処理を実行する。すなわち、ＨＤＤ１４から所定の情報を読み出し、ビデオ回路１５に供給する。その結果、ＬＣＤ１８には図６に示すような情報が表示される。
【００３８】
図６の表示例では、アイコン３７ａは、１８０度回転したアイコン３７ｂに置換されている。アイコン３７ｂの形状は、アイコン３７ａと同様の六角形であるが、文字「ＮＡＶ」が上半分に表示されており、アイコン３７ａのように上下反転していないので判読可能となっている。また、アイコン３７ｂの上半分は現在アクティブであるため強調表示されている（この例では、ハッチングが施されている）。アイコン３７ｂの下半分には、音符が上下逆に表示されている。さらに、アイコン３７ｂは、アクティブとなっていることを示すために、全体が２重線で囲まれている。
【００３９】
つぎに、ＣＰＵ１１は、ナビゲーション装置用のメニューを表示するための情報をＨＤＤ１４から読み出し、ビデオ回路１５に供給する。その結果、ＬＣＤ１８には、図７に示すような情報が表示される。
【００４０】
図７に示す表示例では、右下隅のアイコン３７ｂの上方向には表示部１８ａの縁に沿って枠４０が表示され、また、アイコン３７ｂの左方向には表示部１８ａの縁に沿って枠４１が表示されている。枠４０，４１には、ナビゲーション機能の各種設定に関する操作部や情報が表示される。枠４０の内部にはボタン４０ａ，４０ｂおよびインジケータ４０ｃが表示されている。ここで、ボタン４０ａは、音声出力装置２２から出力されるナビゲーション音声の音量を上げる場合に操作され、ボタン４０ｂは音量を下げる場合に操作される。インジケータ４０ｃは、音量レベルを表示する。
【００４１】
枠４１の内部にはボタン４１ａ〜４１ｄおよび表示窓４１ｅが表示されている。ここで、ボタン４１ａは、メニューのショートカットを表示する場合に操作される。ボタン４１ｂは、予め登録されている運転者の自宅へ帰る場合操作される。ボタン４１ｃは、ゴール（目的地）に関する情報を表示する場合に操作される。ボタン４１ｄは、ルート検索を行った際に、経路上に発生している渋滞に関する情報を表示する場合に操作される。表示窓４１ｅは、道路情報が表示される。この例では、「１．３ｋｍ  打越３丁目交差点」が表示されており、１．３ｋｍ先に打越３丁目交差点が存在することが示されている。
【００４２】
このような画面を参照することにより、運転者は、交通情報等の種々の情報を得ることができるとともに、ナビゲーション装置の各種設定を行うことが可能になる。
【００４３】
そして、図７に示す画面において、アイコン３７ｂが再度操作された場合には、ＣＰＵ１１は、ＨＤＤ１４から所定の情報を読み出し、ビデオ回路１５に供給する。その結果、ＬＣＤ１８には図３の情報が表示されることになる。すなわち、元の状態に戻る。
【００４４】
つぎに、ハードウエアボタン１９ｄが操作された場合の動作について説明する。
【００４５】
図３の画面において、ハードウエアボタン１９ｄが操作されると、ＣＰＵ１１は、入力装置１９の出力を参照し、ハードウエアボタン１９ｄが操作されたことを検出し、ＨＤＤ１４から所定の情報を読み出し、ビデオ回路１５に供給する。その結果、ＬＣＤ１８には図８に示すような情報が表示される。
【００４６】
すなわち、図８の表示例では、表示部１８ａの上部にはタブ５１〜５４が表示されており、この表示例では、タブ５１が選択され、タブ５１に対応するメニュー画面５０が表示されている。メニュー画面５０の内部には、ボタン５５〜６０が表示されている。なお、メニュー画面５０は、アクティブの状態となっていることを示すために、全体が２重線によって囲まれている。
【００４７】
ここで、タブ５１は、ナビゲーションの機能を設定するためのメニュー画面５０を表示する場合に操作されるタブである。タブ５２は、テレビジョンの機能を設定するためのメニュー画面（後述する図１１参照）を表示する場合に操作されるタブである。タブ５３は、ＤＶＤまたはＣＤの機能を設定するためのメニュー画面（後述する図１２参照）を表示する場合に操作されるタブである。タブ５４は、ナビゲーション装置１０のセットアップを行うためのメニュー画面（図示せず）を表示する場合に操作されるタブである。
【００４８】
ここで、メニュー画面５０およびタブ５１〜５４は、アイコン３１〜３７と重複しない領域に表示されており、メニュー画面５０およびタブ５１〜５４が表示された状態でも、アイコン３１〜３７を操作することができる。
【００４９】
例えば、図８において、アイコン３７が操作されると、ＣＰＵ１１は、タッチパネル１９ａの出力を参照して、アイコン３７が操作されたことを検出し、ＨＤＤ１４から所定の情報を読み出し、ビデオ回路１５に供給する。その結果、ＬＣＤ１８には、図９に示すような情報が表示されることになる。すなわち、図９の表示例では、図８に示す画面に図５に示す画面が重畳されて表示されている。図９に示すように、メニュー画面５０は、オーディオ用のボタン３９ａ〜３９ｄには重ならないように配置されている。また、アイコン３７ａは、アクティブであることを示すために、全体が２重線で囲まれている。このような場合、ボタン３９ａ〜３９ｄを操作して、オーディオの再生を調整することができる。また、再度、メニュー画面５０が操作されると、図８の場合と同様に、メニュー画面５０がアクティブとなり、ナビゲーションの設定または調整を行うことができる。したがって、１画面でこれら異なる機能を同時に設定することが可能になる。
【００５０】
また、メニュー画面５０およびタブ５１〜５４を、アイコン３１〜３７と重複しない領域に表示することにより、メニュー画面５０等を表示している場合でもアイコン３１〜３７を必要に応じて操作することが可能になる。例えば、メニュー画面５０がアクティブである場合に、アイコン３１〜３４が操作されたときには、アイコン３１〜３４がアクティブとなって、これらの機能が実行される。
【００５１】
なお、図９において、メニュー画面５０がアクティブである場合に、ボタン３９ａ〜３９ｄが操作されたときには、アイコン３７がアクティブになった後に、当該ボタンが再度操作されたことを条件として当該機能を実行するようにしてもよい。あるいは、メニュー画面５０がアクティブである場合に、ボタン３９ａ〜３９ｄが操作されたときには、アイコン３７ａをアクティブにするとともに、直ちに当該機能を実行するようにしてもよい。逆に、アイコン３７ａ等がアクティブである場合に、メニュー画面５０のボタン５５〜６０が操作されたときも同様である。また、アイコン３１〜３４についても上述の場合と同様である。
【００５２】
なお、このような画面において、アイコン３７ａが再度操作されると、図８に示す画面に図７に示す画面が重畳されて表示されることになる（図示せず）。その場合には、ボタン４１ａ〜４１ｄと、メニュー画面５０の双方を参照してナビゲーションの設定または調整を行うことができる。
【００５３】
図９に戻って、ボタン５５は、現在地の周辺において、所望の施設等を探す場合に操作されるボタンである。ボタン５６は、目的地までのルート検索を行う場合に操作されるボタンである。ボタン５７は、ルート検索を行った場合において、現在地から目的地までの間の経路における渋滞情報を表示する場合に操作されるボタンである。ボタン５８は、オプション機能（例えば、光ビーコン機能）を設定する場合に操作されるボタンである。ボタン５９は、ナビゲーションの各種設定を行う場合に操作されるボタンである。ボタン６０は、メニュー画面５０およびタブ５１〜５４を表示部１８ａから消去する場合に操作されるボタンである。
【００５４】
ところで、これらのボタン５５〜６０は、視認性を高めるために、それぞれの間隔ができるだけ広くなるように配置されるとともに、それぞれのボタンもできるだけ大きく表示されている。このように、各項目の設定の入り口となるボタン５５〜６０を大きく表示することにより、視認性を高めて操作性を改善することができる。
【００５５】
つぎに、図９に示す表示例において、ボタン５５が操作されると、ＣＰＵ１１は、タッチパネル１９ａの出力を参照し、ボタン５５が操作されたことを検出し、所定の情報をＨＤＤ１４から読み出し、ビデオ回路１５に供給する。その結果、表示部１８ａには、図１０に示すような情報が表示される。
【００５６】
図１０に示す表示例では、画面５０に重複するように画面７０が表示されている。また、画面７０は、アクティブであることを示すために、全体が２重線で囲まれている。この画面７０には、ボタン７１〜７５が表示されている。ここで、ボタン７１は、目的地について分かること（例えば、目的地の電話番号等）を手がかりにして検索を行う場合に操作されるボタンである。ボタン７２は、したいこと（例えば、食事がしたい等）を手がかりにして目的地を検索する場合に操作されるボタンである。ボタン７３は、現在地に関する情報を表示する場合に操作されるボタンである。ボタン７４は、以前に検索した場所の一覧を表示し、その中から目的地を設定する場合に操作されるボタンである。また、ボタン７５は、検索範囲を設定する場合に操作されるボタンである。この例では、検索範囲としては「日本全土」が設定されている。これらのボタン７１〜７５を操作することにより、ナビゲーション機能の設定を行うことができる。また、この例では、枠３８および枠３９も同時に表示されており、ナビゲーションの設定または調整とともに、オーディオの設定および調整を同時に行うことができる。すなわち、アイコン３７ａまたは枠３８，３９が操作されると、まず、アイコン３７がアクティブとなり（全体が２重線で囲まれ）、ボタン３９ａ〜３９ｄの操作が可能になる。そして、ボタン３９ａ〜３９ｄが操作された場合には、所定の機能が実行される。
【００５７】
つぎに、タブ５２が操作されると、ＣＰＵ１１は、タッチパネル１９ａの出力を参照し、タブ５２が操作されたことを検出し、ＨＤＤ１４から所定の情報を読み出し、ビデオ回路１５に供給する。その結果、ＬＣＤ１８には図１１に示すような情報が表示される。なお、図１１では、アイコン３７ｂにより、枠４１にはナビゲーション機能のための操作部が表示されている。
【００５８】
図１１に示す表示例では、メニュー画面５０の代わりにメニュー画面８０が表示されている。メニュー画面８０は、アクティブであることを示すために、全体が２重線で囲まれている。メニュー画面８０の内部には、ボタン８１〜８６が表示されている。ここで、ボタン８１は、テレビジョンのチャンネル（例えば、各チャンネルの受信周波数）を設定する場合に操作されるボタンである。ボタン８２は、テレビジョンの画質（例えば、明るさ等）を設定する場合に操作されるボタンである。ボタン８３は、テレビジョンの画面（例えば、水平・垂直方向の表示位置）を設定する場合に操作されるボタンである。ボタン８４は、テレビジョンの音質（例えば、主・副チャンネルの切り換え等）を設定する場合に操作されるボタンである。ボタン８５は、頻繁に使用される機能へのショートカットメニューを表示する場合に操作されるボタンである。ボタン８６は、画面８０およびタブ５１〜５４を表示部１８ａから消去する場合に操作されるボタンである。
【００５９】
このようなメニュー画面８０において所定のボタンが操作された場合には、図１０の場合と同様に新たなメニュー画面が表示されて、各種設定を行うことができる。また、この例では、アイコン３７ｂおよび枠４０，４１も同時に表示されているので、テレビジョンの設定および調整とともに、ナビゲーションの設定および調整を同じ画面上において同時に行うことができる。すなわち、アイコン３７ｂまたは枠４０，４１が操作されると、アイコン３７ｂがアクティブの状態となり、ボタン４１ａ〜４１ｄの操作が可能になるので、ナビゲーションの設定および調整を行うことができる。
【００６０】
つぎに、タブ５３が操作されると、ＣＰＵ１１は、タッチパネル１９ａの出力を参照し、タブ５３が操作されたことを検出し、ＨＤＤ１４から所定の情報を読み出し、ビデオ回路１５に供給する。その結果、ＬＣＤ１８には図１２に示すような情報が表示される。
【００６１】
図１２に示す表示例では、メニュー画面８０の代わりにメニュー画面９０が表示されている。メニュー画面９０は、アクティブであることを示すために、全体が２重線で囲まれている。メニュー画面９０の内部には、ボタン９１〜９６が表示されている。ここで、ボタン９１は、ＤＶＤまたはＣＤ音声の設定（例えば、主・副音声の設定）を行う場合に操作されるボタンである。ボタン９２は、ＤＶＤの画質（例えば、明るさ等）を設定する場合に操作されるボタンである。ボタン９３は、ＤＶＤの画面（例えば、水平・垂直方向の表示位置）を設定する場合に操作されるボタンである。ボタン９４は、ＤＶＤまたはＣＤの音質（例えば、低音・高音の出力レベル等）を設定する場合に操作されるボタンである。ボタン９５は、頻繁に使用される機能へのショートカットメニューを表示する場合に操作されるボタンである。ボタン９６は、画面９０およびタブ５１〜５４を表示部１８ａから消去する場合に操作されるボタンである。
【００６２】
このようなメニュー画面９０において所定のボタンが操作された場合には、図１０の場合と同様に新たなメニュー画面が表示されて、各種設定を行うことができる。また、この例では、アイコン３７ｂと枠４０，４１が同時に表示されているので、ＤＶＤ、ＣＤの設定および調整とともに、ナビゲーションの設定および調整を同じ画面上において同時に行うことができる。すなわち、アイコン３７ｂまたは枠４０，４１が操作されると、アイコン３７ｂがアクティブの状態となり、ボタン４１ａ〜４１ｄが操作可能の状態になって、ナビゲーション機能の設定または調整を行うことができる。
【００６３】
なお、タブ５４が選択された場合には、セットアップ用のメニュー画面が表示されることになるが、詳細な説明については省略する。
【００６４】
以上に説明したように、本発明の実施の形態では、表示部１８ａに、アイコン３７を表示するとともに、タブ５１〜５４を有するメニュー画面を同時に表示するようにしたので、ナビゲーション機能と、その他の所定の機能を同じ画面において同時に設定することが可能になる。
【００６５】
また、アイコン３７およびタブ５１〜５４を有するメニュー画面のいずれかが選択された場合には、アクティブとなったことを示すために、２重線で全体を囲むようにしたので、どちらが操作対象となっているかを簡易に知ることができる。
【００６６】
また、メニュー画面には、選択されたタブに対応するメニュー画面５０〜９０を表示し、それぞれのメニュー画面において各種設定を行うことができるようにしたので、ナビゲーション装置が有する複数の機能を簡易に設定することが可能になる。
【００６７】
また、以上の実施の形態では、タブ５１〜５４のいずれかが選択された場合には、対応するメニュー画面を表示するとともに、当該タブについては最前面に表示するようにしたので、その時点において選択されているメニュー画面を容易に知ることができる。
【００６８】
また、以上の実施の形態では、タブ５１〜５４、メニュー画面５０，７０，８０がアイコン３０〜３７および枠３８〜４１と重複しない領域に表示するようにするとともに、タブ５１〜５４、メニュー画面５０，７０，８０が表示中である場合であってもアイコン３０〜３７および枠３８〜４１に表示された各種ボタンを操作することができる。その結果、操作性を低下させることなく、各種機能の設定を行うことができる。
【００６９】
なお、メニュー画面５０，７０，８０に表示される各種ボタンのうち、操作の頻度が高いものについては、例えば、図１３に示すように、点滅表示するようにしてもよい。この例では、操作の頻度が高いボタン５６が所定の間隔で点滅するように表示されている。このように、操作頻度が高いボタンを点滅するように表示することにより、目的のボタンをより早く見つけることが可能になる。また、運転中である場合には、周辺視野においてＬＣＤ１８を見る場合が多いが、そのような場合であっても目的のボタンを迅速に見つけることができる。
【００７０】
なお、上述の実施の形態は、本発明の好適な例であるが、本発明は、これに限定されるものではなく、本発明の要旨を逸脱しない範囲において、種々の変形、変更が可能である。
【００７１】
例えば、以上の実施の形態では、メニュー画面としてはナビゲーション、テレビジョン、ＤＶＤ／ＣＤ、およびセットアップ機能を例に挙げて説明したが、これ以外の機能を設定または調整できるようにしてもよい。
【００７２】
また、以上の実施の形態では、アイコン３７が操作された場合には、オーディオとナビゲーションに関する設定または調整ができるようにしたが、例えば、これ以外の機能（例えば、テレビジョン）を設定または調整できるようにしてもよい。また、アイコン３７では、２つの機能を設定等できるようにしたが、３つ以上の機能を設定等できるようにしてもよい。機能の数がｎである場合、アイコン３７の内部は、ｎ分割され、分割された各領域には、各機能をそれぞれ示す文字や図形が配置される。さらに、その場合には、アイコン３７の１回の操作につき、３６０／ｎ度ずつ回転させてアイコン３７が表示される。
【００７３】
また、以上の実施の形態では、ハードウエアボタン１９ｄが操作された場合には、タブ５１が選択された状態で表示されるようにしたが、例えば、操作頻度が高いタブを最前面に表示するようにしてもよい。このような方法によれば、操作頻度が高いメニュー画面を即座に表示することが可能になる。
【００７４】
また、以上の実施の形態では、選択されているタブについては、最前面に表示するようにしたが、例えば、選択されているタブの色彩を変えたり、ハッチングを施したり、点滅したりするようにしてもよい。また、アクティブとなっているアイコンおよびメニュー画面については、２重線で囲むようにしたが、前述の場合と同様に、色彩を変えたり、ハッチングを施したり、点滅するようにしてもよい。
【００７５】
また、以上の各実施の形態では、ナビゲーション装置を車両に取り付ける場合を例に挙げて説明を行ったが、車両のみならず、船舶、航空機等の他の移動体に取り付けることも可能であることはいうまでもない。また、ＰＤＡ（Personal Digital Assistant）等の小型携帯端末を利用した歩行者向けのナビゲーション装置にも適用可能である。
【００７６】
また、以上の各実施の形態では、入力装置１９としてはタッチパネルを例に挙げて説明したが、タッチパネルではなく、リモートコントローラを利用することも可能である。
【００７７】
また、以上の実施の形態では、初期状態で、図３に示すように、アイコン３７を表示させているが、初期状態ではアイコン３７を消しておき、表示部１８ａの右下隅部分のタッチパネルを押圧すると、アイコン３７等が表示されるようにしてもよい。あるいは、初期状態では、アイコン３７を半透明とし、アイコン３７を視認可能としつつ、背後の地図情報も視認できるようにしてもよい。
【００７８】
なお、上記の処理機能は、例えば、図１に示すコンピュータによって実現される。その場合、ナビゲーション装置が有すべき機能の処理内容を記述したプログラムが提供される。そのプログラムをコンピュータで実行することにより、処理機能がコンピュータ上で実現される。処理内容を記述したプログラムは、コンピュータで読み取り可能な記録媒体に記録しておくことができる。コンピュータで読み取り可能な記録媒体としては、磁気記録装置、光ディスク、光磁気記録媒体、半導体メモリなどがある。磁気記録装置には、ハードディスク装置（ＨＤＤ）、フレキシブルディスク（ＦＤ）、磁気テープなどがある。光ディスクには、ＤＶＤ(Digital Versatile Disk)、ＤＶＤ−ＲＡＭ(Random Access Memory)、ＣＤ−ＲＯＭ(Compact Disk Read Only Memory)、ＣＤ−Ｒ(Recordable)／ＲＷ(ReWritable)などがある。光磁気記録媒体には、ＭＯ(Magneto-Optical disk)などがある。
【００７９】
プログラムを流通させる場合には、たとえば、そのプログラムが記録されたＤＶＤ、ＣＤ−ＲＯＭなどの可搬型記録媒体が販売される。また、プログラムをサーバコンピュータの記憶装置に格納しておき、ネットワークを介して、サーバコンピュータから他のコンピュータにそのプログラムを転送することもできる。
【００８０】
プログラムを実行するコンピュータは、たとえば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送される毎に、逐次、受け取ったプログラムに従った処理を実行することもできる。
【産業上の利用可能性】
【００８１】
本発明は、表示部を有するナビゲーション装置に利用することができる。
【図面の簡単な説明】
【００８２】
【図１】本発明の実施の形態に係るナビゲーション装置の構成例を示すブロック図である。
【図２】図１に示す実施の形態のＬＣＤに表示される画面の一例を説明するための図である。
【図３】図１に示す実施の形態に係るナビゲーション装置の動作を説明するための表示例を示す図である。
【図４】本実施の形態において、図３に示すアイコン３７を操作した場合に表示される画面の一例を示す図である。
【図５】本実施の形態において、図４に続いて表示される画面の一例を示す図である。
【図６】本実施の形態において、図５に示すアイコン３７ａを操作した場合に表示される画面の一例を示す図である。
【図７】本実施の形態において、図６に続いて表示される画面の一例を示す図である。
【図８】本実施の形態において、ハードウエアボタン１９ｄが操作された場合に表示される画面の一例を示す図である。
【図９】本実施の形態において、図８に示す画面において、アイコン３７が操作された場合に表示される画面の一例を示す図である。
【図１０】本実施の形態において、図８に示す画面において、ボタン５５が操作された場合に表示される画面の一例を示す図である。
【図１１】本実施の形態において、図８に示す画面において、タブ５２が操作された場合に表示される画面の一例を示す図である。
【図１２】本実施の形態において、図８に示す画面において、タブ５３が操作された場合に表示される画面の一例を示す図である。
【図１３】本実施の形態において、図８に示す画面の他の表示例を示す図である。
【符号の説明】
【００８３】
１０  ナビゲーション装置
１１  ＣＰＵ（第１〜第４の表示手段の一部、変更手段）
１５  ビデオ回路（第１〜第４の表示手段の一部、変更手段）
【図１】
2005207973.tif 000003
【図２】
2005207973.tif 000004
【図３】
2005207973.tif 000005
【図４】
2005207973.tif 000006
【図５】
2005207973.tif 000007
【図６】
2005207973.tif 000008
【図７】
2005207973.tif 000009
【図８】
2005207973.tif 000010
【図９】
2005207973.tif 000011
【図１０】
2005207973.tif 000012
【図１１】
2005207973.tif 000013
【図１２】
2005207973.tif 000014
【図１３】
2005207973.tif 000015